(57)【要約】【課題】簡単な構成で生産性に優れかつ装置の大型化を招くこともない、スイッチバック機構を備えた画像形成装置を提供する。【解決手段】駆動ローラ部６１１と両側に配置された第１及び第２の従動ローラ部６１２、６１３を有し、用紙Ｐを駆動ローラ部と第１従動ローラ部の間から送り出すスイッチバック用ローラ６１、スイッチバック用ローラによる用紙の送り出し方向の下流側に設けられ、前記スイッチバック用ローラから送り出される用紙の先端部を湾曲させるガイド部６２３、用紙先端部の進行を阻止することにより、用紙の後部側をループ状に湾曲させる進行阻止部６２５を備える。ループ状に湾曲した用紙の復元力を利用して、駆動ローラ部６１１と第１従動ローラ部６１３の間から送り出された用紙を、駆動ローラ部６１１と第２従動ローラ部６１２の間に導いて取り込むことにより、用紙を送り出し方向に対して逆送する。【選択図】図２
2009155097.tif 000002
【特許請求の範囲】
【請求項１】
駆動ローラ部と駆動ローラ部の両側に配置された第１及び第２の従動ローラ部を有し、用紙を駆動ローラ部と第１従動ローラ部の間から送り出すスイッチバック用ローラと、
スイッチバック用ローラによる用紙の送り出し方向の下流側に設けられ、前記スイッチバック用ローラから送り出される用紙の先端部を湾曲させるガイド部と、
前記用紙先端部の進行を阻止することにより、用紙の後部側をループ状に湾曲させる進行阻止部と、
を備え、
前記ループ状に湾曲した用紙の復元力を利用して、前記駆動ローラ部と第１従動ローラ部の間から送り出された用紙を、駆動ローラ部と第２従動ローラ部の間に導いて取り込むことにより、用紙を送り出し方向に対して逆送するものとなされていることを特徴とする画像形成装置。
【請求項２】
前記スイッチバック用ローラは、駆動ローラ部の上側に第１及び第２の従動ローラ部の一方が配設され、下側に他方の従動ローラ部が配設されている請求項１に記載の画像形成装置。
【請求項３】
スイッチバック用ローラの駆動ローラ部は、駆動ローラ部と第１従動ローラ部の間から送り出される用紙の後端部を第２従動ローラ部側へと押しやる機能を有している請求項１または２に記載の画像形成装置。
【請求項４】
前記進行阻止部は用紙の送り出し方向と平行に移動可能である請求項１〜３のいずれかに記載の画像形成装置。
【請求項５】
前記用紙の先端部を前記ガイド部の一部が移動することにより湾曲させる請求項１〜４のいずれかに記載の画像形成装置。
【請求項６】
前記用紙の先端部を湾曲させかつ進行を阻止するモードと、湾曲させずかつ進行を阻止しないモードを切り替え可能となされている請求項１〜５のいずれかに記載の画像形成装置。
【発明の詳細な説明】
【技術分野】
【０００１】
この発明は、複写機やプリンタ等の画像形成装置に関する。
【背景技術】
【０００２】
画像形成装置として、例えば両面印刷を行うために、搬送されてきた用紙を逆送させるためのスイッチバック機構を備えたものが知られている。
【０００３】
このような画像形成装置のスイッチバック機構として、駆動モータを正逆転させることにより用紙を逆送させるものや（例えば特許文献１及び特許文献２参照）、排出経路と反転経路をスイッチバック用ローラの上流側で切り替える構成のものが知られている（例えば特許文献３参照）。
【０００４】
また、駆動伝達をクラッチで切り替えることにより用紙を逆送させるものも知られている（例えば特許文献４参照）。
【特許文献１】特開平７−１０９０６０号公報
【特許文献２】特開２００１−３３５２１６号公報
【特許文献３】特開２００１−６３８９２号公報
【特許文献４】特開２００５−２０２０９０号公報
【発明の開示】
【発明が解決しようとする課題】
【０００５】
しかし、駆動モータの正逆回転や駆動伝達をクラッチで切り替えることによるスイッチバック機構は、駆動モータの正逆切替やクラッチ切替のための切替時間が必要となり、その分生産性に劣るという欠点がある。
【０００６】
また、排出経路と反転経路をスイッチバック用ローラの上流側で切り替える構成のものは、排出機構の周りに排出経路と反転経路を設けるためのスペースを必要とし、装置が大型化するという問題がある。
【０００７】
この発明は、このような技術的背景に鑑みてなされたものであって、簡単な構成で生産性に優れかつ装置の大型化を招くこともない、スイッチバック機構を備えた画像形成装置を提供することを課題とする。
【課題を解決するための手段】
【０００８】
上記課題は以下の手段によって解決される。
（１）駆動ローラ部と駆動ローラ部の両側に配置された第１及び第２の従動ローラ部を有し、用紙を駆動ローラ部と第１従動ローラ部の間から送り出すスイッチバック用ローラと、スイッチバック用ローラによる用紙の送り出し方向の下流側に設けられ、前記スイッチバック用ローラから送り出される用紙の先端部を湾曲させるガイド部と、前記用紙先端部の進行を阻止することにより、用紙の後部側をループ状に湾曲させる進行阻止部と、を備え、前記ループ状に湾曲した用紙の復元力を利用して、前記駆動ローラ部と第１従動ローラ部の間から送り出された用紙を、駆動ローラ部と第２従動ローラ部の間に導いて取り込むことにより、用紙を送り出し方向に対して逆送するものとなされていることを特徴とする画像形成装置。
（２）前記スイッチバック用ローラは、駆動ローラ部の上側に第１及び第２の従動ローラ部の一方が配設され、下側に他方の従動ローラ部が配設されている前項１に記載の画像形成装置。
（３）スイッチバック用ローラの駆動ローラ部は、駆動ローラ部と第１従動ローラ部の間から送り出される用紙の後端部を第２従動ローラ部側へと押しやる機能を有している前項１または２に記載の画像形成装置。
（４）前記進行阻止部は用紙の送り出し方向と平行に移動可能である前項１〜３のいずれかに記載の画像形成装置。
（５）前記用紙の先端部を前記ガイド部の一部が移動することにより湾曲させる前項１〜４のいずれかに記載の画像形成装置。
（６）前記用紙の先端部を湾曲させかつ進行を阻止するモードと、湾曲させずかつ進行を阻止しないモードを切り替え可能となされている前項１〜５のいずれかに記載の画像形成装置。
【発明の効果】
【０００９】
前項（１）に記載の発明によれば、スイッチバック用ローラによる用紙の送り出し方向の下流側に設けられ、前記スイッチバック用ローラの駆動ローラ部と第１従動ローラ部の間から送り出される用紙の先端部の進行を阻止することにより、用紙の後部側をループ状に湾曲させる進行阻止部が備えられ、前記ループ状に湾曲した用紙の復元力により用紙にはスイッチバック用ローラ側へ戻ろうとする力が作用し、この力を利用して、前記駆動ローラ部と第１従動ローラ部の間から送り出された用紙を、駆動ローラ部と第２従動ローラ部の間に導いて取り込むことにより、用紙を排出方向に対して逆送させる。従って、駆動モータの正逆回転を切り替えたり駆動伝達をクラッチにより切り替えるものではないから、駆動モータの正逆切替やクラッチ切替のための切替時間は不要であり、生産性を低下させることはない。また、排出経路と反転経路をスイッチバック用ローラの上流側で切り替える必要もないから、装置の大型化を招くこともない。しかも、ガイド部により用紙の先端部も湾曲しているから、この部分の復元力によっても用紙にスイッチバック用ローラ側へ戻ろうとする力が作用することになり、駆動ローラ部と第１従動ローラ部の間から排出された用紙を、よりスムーズに駆動ローラ部と第２従動ローラ部の間に導くことができる。このように、本発明によれば、簡単な構成で生産性に優れかつ小型の画像形成装置となしうる。
【００１０】
前項（２）に記載の発明によれば、スイッチバック用ローラは、駆動ローラ部の上側に第１及び第２の従動ローラ部の一方が配設され、下側に他方の従動ローラ部が配設されているから、用紙を水平状態で送り出しあるいは逆送することができる。
【００１１】
前項（３）に記載の発明によれば、スイッチバック用ローラの駆動ローラ部により、駆動ローラ部と第１従動ローラ部の間から送り出される用紙に第２従動ローラ部側へと押しやる力が作用するから、駆動ローラ部と第１従動ローラ部の間から送り出された用紙を、確実に駆動ローラ部と第２従動ローラ部の間に導くことができる。
【００１２】
前項（４）に記載の発明によれば、進行阻止部は用紙の送り出し方向と平行に移動可能であるから、用紙先端の進行阻止位置を調整できる。このため、種々の用紙サイズに対応でき、異なるサイズの用紙であっても各用紙を確実にループ状に湾曲させることができる。
【００１３】
前項（５）に記載の発明によれば、ガイド部の一部が移動することにより用紙の先端部を湾曲させることができる。
【００１４】
前項（６）に記載の発明によれば、用紙の先端部を湾曲させかつ進行を阻止するモードと、湾曲させずかつ進行を阻止しないモードを切り替え可能となされているから、用紙を逆送させる必要のある時とない時の両方に対応することができる。
【発明を実施するための最良の形態】
【００１５】
以下、この発明の一実施形態を図面を参照しつつ説明する。
【００１６】
図１は、この発明の一実施形態に係る画像形成装置の概略構成を示す側面図である。
【００１７】
画像形成装置１はカラープリンタであり、下部に給紙カセット２が装着されるとともに、給紙カセット２から給紙された用紙を上方へと搬送する第１搬送路３が設けられている。
【００１８】
前記第１搬送路３に沿って、給紙カセット２の上方位置には用紙に画像を形成するための画像形成部４が設けられ、さらに画像形成部４の下流側（上方位置）には定着器５が設けられ、さらに定着器５の下流側にはスイッチバック部６が設けられている。
【００１９】
前記画像形成部４は、各色毎のイメージングユニット４１やトナーカートリッジ等を有し、定着器５は一対の定着ローラ５１、５１を有している。
【００２０】
第１搬送路３を挟んで前記画像形成部４の反対側には、前記スイッチバック部６によりスイッチバックされる用紙を、用紙裏面に画像を形成するために前記第１搬送路３へと循環搬送するための第２搬送路７が形成されている。また、第２搬送路７に臨んで、画像形成装置１の上部には排紙トレー８が配置され、スイッチバック部６でスイッチバックさせた用紙を排紙トレー８に排紙するか両面印刷のために第１搬送路３へと循環させるかを切り替えうるようになっている。
【００２１】
また、画像形成装置１の下部には手差しトレー９が配置され、手差しトレー９にセットされた用紙を第２搬送路７の一部を介して第１搬送路３へと搬送しうるものとなされている。
【００２２】
前記スイッチバック部６は、定着器５を通過して第１搬送路３を搬送されてきた用紙を、一旦送り出した後スイッチバック（逆送）させて第２搬送路７へと搬送させるものであり、スイッチバック用ローラ６１と進行阻止機構６２とループ状用紙収容部６３等を備えている。
【００２３】
前記スイッチバック用ローラ６１は、図２〜図４に示すように、水平状に配置された駆動ローラ部６１１と駆動ローラ部６１１を挟んで上下に配置された１対の従動ローラ部６１２、６１３により構成されている。前記駆動ローラ部６１１は、水平状に配置された駆動軸６１１ａに用紙送り用の複数の送りローラ６１１ｂが相互に間隔をおいて軸着されるとともに、各送りローラ６１１ｂ間において駆動軸６１１ａには押しやりローラ６１１ｃが軸着されている。
【００２４】
また、上下の各従動ローラ部６１２、６１３は駆動ローラ部６１１における送りローラ６１１ｂの周面に圧接する複数のころ６１２ａ、６１３ａをそれぞれ有している。上下の各ころ６１２ａ、６１３ａはそれぞれ図示しない軸に軸着されており、図示しないモータ等により駆動ローラ部６１１の駆動軸６１１ａが回転駆動されると、駆動軸６１１ａと一体に回転する送りローラ６１１ｂの周面に圧接する上側のころ６１２ａ及び下側のころ６１３ａが、送りローラ６１１ｂの回転に伴って上下で逆方向に転動するものとなされている。この実施形態では、第１搬送路３から搬送されてきた用紙Ｐを、駆動ローラ部６１１と下側の従動ローラ部６１３との間に通して進行阻止機構６２方向へと送り出したのち、駆動ローラ部６１１と上側の従動ローラ部６１２の間に通して第２搬送路７へと用紙を逆送（スイッチバック）させるように、駆動ローラ部６１１の回転方向（図４の例では矢印Ａ方向）が設定されている。
【００２５】
前記駆動ローラ部６１１の押しやりローラ６１１ｃは、その周面に押しやりローラ６１１ｃの長さ方向に長い突起６１１ｄが、押しやりローラ６１１ｃの周方向に間隔的に形成されている。この押しやりローラ６１１ｃは、駆動ローラ部６１１と下側従動ローラ部６１３の間からループ状用紙収容部６３へと送り出される用紙の後端縁を、回転する突起６１１ｄにより図４の矢印Ｂで示すように搬送方向前方へ蹴り出すと共に、蹴り出し後は突起６１１ｄが用紙Ｐの後端部に係合して、用紙後端部を矢印Ｃで示すように上側従動ローラ部１６２の方向へと押し上げる役割を果たすものである。
【００２６】
なお、前記スイッチバック用ローラ６１は、上述のように、駆動ローラ部６１１の上下両側に上下の従動ローラ部６１２、６１３が配置されているから、駆動ローラ部６１１の軸６１１ａに曲げ変形力が加わっても上下の従動ローラ部６１２、６１３によって駆動ローラ部６１１が支持され、駆動ローラ部６１１の軸変形を防止することができる。
【００２７】
前記進行阻止機構６２は、前記スイッチバック用ローラ６１による用紙の排出方向の下流側に設けられ、前記スイッチバック用ローラ６１からループ状用紙収容部６３に送り出される用紙Ｐの先端部の搬送を阻止することにより、図２に示すように、用紙Ｐの後部をループ状に湾曲させるものである。
【００２８】
この実施形態では、進行阻止機構６２は図２に示すように、図２の紙面厚さ方向に長い凹状片部６２１とこの凹状片部６２１の凹状円弧面に所定距離を隔てて対向する凸状片部６２２を有するガイド部６２３を備え、凹状片部６２１の凹状円弧面と凸状片部６２２の湾曲状外面との間に幅細の円弧状通路６２４が形成されている。また、円弧状通路６２４の先端の突き当たり部が、用紙Ｐの先端を当接させて用紙Ｐの進行を阻止する進行阻止部６２５となされている。
【００２９】
このようなガイド部６２３を設けることにより、スイッチバック用ローラ６１から送り出された用紙Ｐの先端部は、前記ガイド部６２３の円弧状通路６２４に案内されて湾曲変形しつつ進行阻止部６２５に当接してそれ以上の進行が阻止されるものとなされている。一方、用紙Ｐの先端部の進行が阻止されても、用紙Ｐの後端部はスイッチバック用ローラ６１により送り出されているから、この送り出し圧力により用紙Ｐの後部側がループ状に湾曲変形する。
【００３０】
ここで、用紙Ｐの後部側をループ状に湾曲させるのは、ループ状に湾曲した用紙Ｐの元に戻ろうとする復元力を利用して、前記駆動ローラ部６１１と下側従動ローラ部６１３の間から排出された用紙Ｐにスイッチバック用ローラ６１側へ戻ろうとする力を付与することにより、駆動ローラ部６１１の回転によって用紙後端部に作用する上向きの力と相俟って、用紙Ｐを駆動ローラ部６１１と上側従動ローラ部６１２の間のニップ部に導いてニップ部に確実に取り込まれるようにするためである。
【００３１】
また、用紙Ｐの先端部もガイド部６２３により湾曲変形しているから、この部分の復元力によっても、用紙Ｐにはスイッチバック用ローラ６１側へ戻ろうとする力が作用する結果、用紙Ｐの後部側に作用する復元力と相俟って、スイッチバック用ローラ６１側へ戻ろうとする力が大きくなり、用紙を、駆動ローラ部６１１と上側の従動ローラ部６１２の間にスムーズに導くことができる。
【００３２】
なお、用紙Ｐの先端部をガイド部６２３の円弧状通路６２４にスムーズに案内するためには、用紙先端部の自重による垂下を考慮すると、円弧状通路６２４の入り口部は、スイッチバック用ローラ６１による用紙Ｐの送り出し出口の高さよりも下方に設けられているのが望ましい。また、スイッチバック用ローラ６１から進行阻止部６２５までの距離が用紙Ｐの送り出し方向の長さよりも長いと、用紙Ｐをループ状に湾曲できないことから、スイッチバック用ローラ６１から進行阻止部６２５までの距離を用紙Ｐの送り出し方向の長さよりも短く設定する必要がある。
【００３３】
なお、用紙Ｐのサイズは特に限定されることはなく、葉書サイズ、Ｂ５サイズ、Ａ４サイズ、Ｌｅｇａｌサイズ等、各種のサイズの用紙を適宜用いれば良く、用いる用紙のサイズに応じてスイッチバック用ローラ６１から進行阻止部６２５までの距離を設定すればよい。
【００３４】
上記のように、前記スイッチバック用ローラ６１による用紙Ｐの送り出し中に、前記用紙Ｐの先端部は円弧状通路６２４に案内されて湾曲し、進行阻止部６２５によって用紙先端の進行が阻止される結果、前記用紙Ｐの後部側はスイッチバック用ローラ６１による送り出し圧力によって図２に示すように上向きループ状に湾曲する。前記ループ状用紙収容部６３は、このループ状に湾曲した用紙Ｐを収容する部位である。
【００３５】
次に、図１〜図４に示した画像形成装置１の動作を説明する。
【００３６】
給紙カセット２から給紙された用紙Ｐは第１搬送路３を通って画像形成部４へと搬送され、画像形成部４により用紙の片面に画像を形成された後、定着器５により定着されたのち、スイッチバック部６へと搬送される。
【００３７】
スイッチバック部６において、用紙Ｐはスイッチバック用ローラ６１の駆動ローラ部６１１と下側従動ローラ部６１３との間からループ状用紙収容部６３へと送り出される。
【００３８】
送り出された用紙Ｐの先端部は円弧状通路６２４に案内されて湾曲する。用紙先端が進行阻止部６２５に当接すると、用紙Ｐの先端のそれ以上の進行が阻止されるが、用紙後端部はまだスイッチバック用ローラ６１による送り出し方向の圧力を付与されているから、用紙Ｐの後部側は図２に示すように上向きループ状に湾曲される。
【００３９】
用紙後端がスイッチバック用ローラ６１を通過すると、用紙後端縁には駆動ローラ６１１に設けられた押しやりローラ６１１ｃの周面の突起６１１ｄにより、ループ状用紙収容部６３への蹴り出し方向の力が付与された後、さらに突起６１１ｄによって押し上げられる。用紙Ｐの先端部及び後部側はいずれもループ状に湾曲しているから、用紙Ｐには元に戻ろうとする大きな復元力が作用し、スイッチバック用ローラ６１側への力が付与される。
【００４０】
この力が付与された状態で、前述したように、用紙Ｐは押しやりローラ６１１ｃの周面の突起６１１ｄにより押し上げられるから、用紙Ｐの後端縁は駆動ローラ部６１１と上側従動ローラ部６１２の間のニップ部に確実にかつ容易に導かれて該ニップ部に取り込まれ、駆動ローラ部６１１と上側従動ローラ部６１２の回転により第２搬送路７へと逆送される。
【００４１】
その後、用紙Ｐは第２搬送路７に沿って排紙トレー８へと搬送され、あるいは両面印刷の場合には第１搬送路３を介して画像形成部４へと循環される。
【００４２】
このように、この実施形態では、スイッチバック用ローラ６１の駆動ローラ部６１１と下側従動ローラ部６１３の間から送り出される用紙Ｐの先端部を湾曲させ、さらに用紙先端部の進行を進行阻止部６２５により阻止することにより、用紙Ｐの後部側をループ状に湾曲させ、湾曲した用紙の復元力を利用して、前記駆動ローラ部６１１と下側従動ローラ部６１３の間から排出された用紙Ｐを、駆動ローラ部６１１と上側従動ローラ部６１２の間に導いて取り込み、用紙Ｐをスイッチバックさせるものである。従って、従来のように、駆動モータの正逆回転を切り替えたり駆動伝達をクラッチにより切り替えることによりスイッチバックさせるものではないから、駆動モータの正逆切替やクラッチ切替のための切替時間は不要であり、生産性を低下させることはない。また、排出経路と反転経路をスイッチバック用ローラ６１の上流側で切り替える必要もないから、画像形成装置１の大型化を招くこともない。
【００４３】
しかも、スイッチバック用ローラ６１の駆動ローラ部６１１に設けられた押しやりローラ６１１ｃの突起６１１ｄにより、駆動ローラ部６１１と下側従動ローラ部６１３の間から送り出される用紙Ｐの後端部が上側従動ローラ部６１２側へと押しやられるから、前記用紙Ｐを確実に駆動ローラ部６１１と上側従動ローラ部６１２の間に導くことができる。
【００４４】
図５及び図６はこの発明の他の実施形態を示すものである。この実施形態では、ガイド部６２３を含む進行阻止機構６２が、用紙の送り出し方向と平行に移動できるように構成されたものである。
【００４５】
即ち、進行阻止機構６２の前記ガイド部６２３は、凹状片部６２１と凸状片部６２２を有するとともに、ガイド部６２３の幅方向の一端部底面には、下面にギア６２６ａを有するラック部６２６がガイド部６２３と一体に設けられている。また、ラック部６２６の下方には、前記ラック部のギア６２６ａと噛み合うピニオン６２７が、図示しないモータ等により回転可能に配置されている。従って、ピニオン６２７を回転させると、ラック部６２６が用紙Ｐの送り出し方向と平行に移動し、ひいてはラック部６２６と一体に設けられているガイド部６２３が用紙Ｐの送り出し方向と平行に移動するものとなされている。
【００４６】
このように、ガイド部６２３を含む進行阻止機構６２が用紙Ｐの送り出し方向と平行に移動可能であるから、用紙先端の進行を阻止する進行阻止部６２５の用紙Ｐの送り出し方向の位置を調整できる。このため、種々の用紙サイズに対応でき、異なるサイズの用紙であっても各用紙を確実にループ状に湾曲させることができる。
【００４７】
なお、図６の例では、ラック部６２６の移動量従ってガイド部６２３（進行阻止部６２５）の移動量は、ラック部６２６に設けられた複数の孔６２６ｂをフォトセンサ６２８で検出することにより設定するものとなされている。
【００４８】
図７及び図８はこの発明のさらに他の実施形態を示すものである。この実施形態では、進行阻止機構６２のガイド部６２３が複数の突起６２８ｃを周面に有する周回移動可能な無端状のベルト６２８ｄにより構成されたものである。
【００４９】
即ち、スイッチバック用ローラ６１による用紙Ｐの送り出し方向の下流側には、紙面厚さ方向に長い１対の駆動ローラ６２８ａと複数の従動ローラ６２８ｂが、用紙Ｐの送り出し方向の位置及び高さ位置を異にして配置されるとともに、これらの駆動ローラ６２８ａと従動ローラ６２８ｂの間に無端状のベルト６２８ｄが掛け渡されている。そして、駆動ローラ６２８ａの回転駆動により、前記ベルト６２８ｄが駆動ローラ６２８ａと従動ローラ６２８ｂとの間で湾曲状のベルト軌跡を描いて周回移動するものとなされている。
【００５０】
また、前記ベルト６２８ｄの周面には、前記ベルトの周方向に沿って間隔的に複数の突起６２８ｃが設けられており、これらの突起６２８ｃが、用紙Ｐの先端部の搬送を阻止する進行阻止部として機能する。
【００５１】
つまり、スイッチバック用ローラ６１から搬送されてくる用紙Ｐの先端がベルト６２８ｄのいずれかの突起６２８ｃに当接して、用紙先端のそれ以上の進行が阻止される結果、スイッチバック用ローラ６１から搬送される用紙Ｐの後端部側をループ状に湾曲させることができる。さらに、前記駆動ローラ６２８ａによりベルト６２８ｄを回転駆動して、ベルト６２８ｄ上の前記突起６２８ｃの用紙送り出し方向の位置を適宜調整することにより、各種サイズの用紙に対応しながら、用紙Ｐの先端部をベルトの湾曲状軌跡に沿って湾曲状に変形させることができる。前記突起６２６ｂの用紙送り出し方向の位置の調整は、例えば用紙Ｐの長さ情報に基づいてベルト６２６ａの回転時間を制御することにより行えばよい。
【００５２】
図９及び図１０は、この発明のさらに他の実施形態を示すものである。
【００５３】
この実施形態では、画像形成装置１は上部に原稿を読み取るためのスキャナ１０を備えると共に、画像形成された用紙にステープル処理等の後処理を実施するための後処理装置１１を、排紙トレー８と反対側に備えている。そして、後処理された用紙Ｐが後処理用排紙トレー１１１へ送り出されるものとなされている。
【００５４】
このような構成では、スイッチバック用ローラ６１からスイッチバック部６に搬送された用紙Ｐは、後処理を実施されない場合、進行阻止機構６２により後処理装置１１側への進行を阻止され、スイッチバックされて排紙トレー８から排出される。一方、後処理装置１１により後処理を実施される場合は、進行阻止機構６２により搬送を阻止されることなく、後処理装置１１へ搬送され、後処理後に後処理装置用排紙トレー１１１へと搬送される必要がある。
【００５５】
そこで、この実施形態では、用紙Ｐの先端部の進行を阻止するモードと阻止しないモードを切り替え可能となされている。
【００５６】
即ち、スイッチバック用ローラ６１と進行阻止機構６２との間の用紙搬送経路に臨んで、切替カム６２９が図１０の矢印Ｆで示すように垂直面内において回動可能に設けられている。そして、後処理を実施されない用紙Ｐに対しては、用紙Ｐの先端部の搬送を阻止するモードが設定され、切替カム６２９は図１０の時計方向に回動させられて、図１０に鎖線で示すように切替カム６２９の下方に形成される通路を閉じる。従って、スイッチバック用ローラ６１から送り出された用紙Ｐは、矢印Ｙで示すように切替カム６２９の上方を通過して進行阻止機構６２のガイド部６２３に案内された後、スイッチバック用ローラ６１によりスイッチバックされる。
【００５７】
一方、後処理装置１１により後処理を実施される場合は、切替カム６２９は図１０の反時計方向に回動させられて、図１０に実線で示すように切替カム６２９の下方に形成される通路が開放され、スイッチバック用ローラ６１から送り出された用紙Ｐは、矢印Ｘで示すように切替カム６２９の下方を通過してスムーズに後処理装置１１へと搬送される。
【００５８】
このように、用紙Ｐの先端部を湾曲させかつ進行を阻止するモードと、湾曲させずかつ進行を阻止しないモードを切り替え可能となされているから、用紙を逆送させる必要のある時とない時の両方に対応することができる。
【００５９】
以上、本発明の一実施形態を説明したが、本発明は上記実施形態に限定されることはない。例えば、駆動ローラ部６１１と下側従動ローラ部６１３の間から送り出される用紙を、駆動ローラ部６１１と上側従動ローラ部６１２の間に通してスイッチバック（逆送）させるものとしたが、駆動ローラ部６１１と上側従動ローラ部６１２の間から送り出される用紙を、駆動ローラ部６１１と下側従動ローラ部６１３の間に通してスイッチバックさせる構成でも良い。
【００６０】
また、スイッチバック用ローラ６１が水平状に配置され、用紙が水平状態でスイッチバック部から搬送されるものとしたが、水平状態に限定されることはない。
【００６１】
また、駆動ローラ部６１１の押しやりローラ６１１ｃに突起６１１ｄを設けた構成としたが、突起６１１ｄを設けなくても良い。
【図面の簡単な説明】
【００６２】
【図１】この発明の一実施形態に係る画像処理装置の概略構成図である。
【図２】スイッチバック部の概略構成図である。
【図３】スイッチバック用ローラの外観斜視図である。
【図４】スイッチバック用ローラの動作を説明するための断面図である。
【図５】この発明の他の実施形態に係る画像処理装置の概略構成図である。
【図６】図５の画像形成装置におけるガイド部の斜視図である。
【図７】この発明のさらに他の実施形態に係る画像処理装置の概略構成図である。
【図８】図７の画像形成装置におけるスイッチバック部の概略構成図である。
【図９】この発明のさらに他の実施形態に係る画像処理装置の概略構成図である。
【図１０】図７の画像形成装置におけるガイド部近傍の概略構成図である。
【符号の説明】
【００６３】
１        画像形成装置
６        スイッチバック部
６１      スイッチバック用ローラ
６２      進行阻止機構
６３      ループ状用紙収容部
６１１    駆動ローラ部
６１２    上側従動ローラ部
６１３    下側従動ローラ部
６１１ｂ  送りローラ
６１１ｃ  押しやりローラ
６１１ｄ  突起
６２１    凹状片部
６２２    凸状片部
６２３    ガイド部
６２４    円弧状空間
６２５    進行阻止部
６２６    ラック部
６２７    ピニオン
６２８ｄ  ベルト
６２９    切替カム
Ｐ        用紙
【図１】
2009155097.tif 000003
【図２】
2009155097.tif 000004
【図３】
2009155097.tif 000005
【図４】
2009155097.tif 000006
【図５】
2009155097.tif 000007
【図６】
2009155097.tif 000008
【図７】
2009155097.tif 000009
【図８】
2009155097.tif 000010
【図９】
2009155097.tif 000011
【図１０】
2009155097.tif 000012